(57)【要約】【課題】複数の搬送路が合流する構成において、簡単な構成でそれぞれの搬送路から送られる用紙に確実にループを形成させて傾きもシワもない用紙搬送を行うことが出来る用紙整合搬送装置を提供すること。【解決手段】複数の用紙供給部からの用紙を合流させ、用紙の姿勢を整合させて下流の用紙処理位置に搬送する用紙整合搬送装置において、レジストローラと、第１ループ形成ローラを有し、第１の用紙供給部からの用紙を搬送する第１搬送路と、第２ループ形成ローラを有し、第２の用紙供給部からの用紙を搬送する第２搬送路と、前記レジストローラと第１・第２搬送路との間で合流搬送路を形成する第１搬送路側と第２搬送路側のガイド板と、前記合流搬送路において、搬送路の切り替えに応じて切り替えられ、選択された搬送路と反対側のガイド板に向けて突出して用紙にループを形成させるループ形成補助手段と、を有することを特徴とする用紙整合搬送装置。【選択図】図２
2010126321.tif 000002
【特許請求の範囲】
【請求項１】
複数の用紙供給部からの用紙を合流させ、用紙の姿勢を整合させて下流の用紙処理位置に搬送する用紙整合搬送装置において、
用紙の姿勢を整合させるためのレジストローラと、
第１ループ形成ローラを有し、第１の用紙供給部からの用紙を搬送する第１搬送路と、
第２ループ形成ローラを有し、第２の用紙供給部からの用紙を搬送する第２搬送路と、
前記レジストローラと前記第１搬送路および前記第２搬送路との間で合流搬送路を形成する前記第１搬送路側のガイド板および前記第２搬送路側のガイド板と、
前記合流搬送路において、前記第１搬送路が選択された時は先端を前記第２搬送路側のガイド板に向けて突出し、前記第２搬送路が選択された時は先端を前記第１搬送路側のガイド板に向けて突出して用紙にループを形成させるループ形成補助手段と、
を有することを特徴とする用紙整合搬送装置。
【請求項２】
前記ループ形成補助手段は、先端に弾性部材を有することを特徴とする請求項１に記載の用紙整合搬送装置。
【請求項３】
複数の用紙供給部からの用紙を合流させ、用紙の姿勢を整合させて下流の用紙処理位置に搬送する用紙整合搬送装置において、
用紙の姿勢を整合させるためのレジストローラと、
第１ループ形成ローラを有し、第１の用紙供給部からの用紙を搬送する第１搬送路と、
第２ループ形成ローラを有し、第２の用紙供給部からの用紙を搬送する第２搬送路と、
前記レジストローラと前記第１搬送路および前記第２搬送路との間で合流搬送路を形成する第１搬送路側の第１ガイド板および第２搬送路側の第２ガイド板と、
前記合流搬送路の略中央に配置され、前記第１搬送路が選択された時は先端を前記第２ガイド板に向けて突出する位置に、前記第２搬送路が選択された時は先端を前記第１ガイド板に向けて突出する位置に切り替え可能なループ形成補助部材と、
前記ループ形成補助部材を搬送路の選択に応じて切り替える切り替え手段と
を有することを特徴とする用紙整合搬送装置。
【請求項４】
前記ループ形成補助部材は、先端に弾性部材を有することを特徴とする請求項３に記載の用紙整合搬送装置。
【請求項５】
前記ループ形成補助部材は、前記レジストローラの軸と平行な軸によって回転可能に保持され、
前記切り替え手段は、前記ループ形成補助部材の軸を回転駆動する駆動手段と、それぞれの切り替え位置に位置決めする位置決め手段とを有することを特徴とする請求項３または４に記載の用紙整合搬送装置。
【請求項６】
複数の用紙供給部からの用紙を合流させ、用紙の姿勢を整合させて下流の用紙処理位置に搬送する用紙整合搬送装置において、
用紙の姿勢を整合させるためのレジストローラと、
第１ループ形成ローラを有し、第１の用紙供給部からの用紙を搬送する第１搬送路と、
第２ループ形成ローラを有し、第２の用紙供給部からの用紙を搬送する第２搬送路と、
前記レジストローラと前記第１搬送路および前記第２搬送路との間で合流搬送路を形成する前記第１搬送路側の第１ガイド板および前記第２搬送路側の第２ガイド板と、
前記第１ガイド板の一部を構成するとともに、切り替えられて先端を合流搬送路に突出させる第１ループ形成補助部材と、
前記第２ガイド板の一部を構成するとともに、切り替えられて先端を合流搬送路に突出させる第２ループ形成補助部材と、
前記第１搬送路が選択された時は前記第１ループ形成補助部材を前記合流搬送路に突出させ、前記第２搬送路が選択された時は前記第２ループ形成補助部材を前記合流搬送路に突出させるように切り替える切り替え手段と
を有することを特徴とする用紙整合搬送装置。
【請求項７】
前記第１ループ形成補助部材および前記第２ループ形成補助部材は、先端に弾性部材を有することを特徴とする請求項６に記載の用紙整合搬送装置。
【請求項８】
前記第１ループ形成補助部材および前記第２ループ形成補助部材は、それぞれ前記レジストローラの軸と平行な軸によって回転可能に保持され、
前記切り替え手段は、前記第１ループ形成補助部材および前記第２ループ形成補助部材の軸を回転駆動する駆動手段と、それぞれの切り替え位置に位置決めする位置決め手段とを有することを特徴とする請求項６または７に記載の用紙整合搬送装置。
【請求項９】
請求項１から８のいずれかに記載の用紙整合搬送装置を備えたことを特徴とする画像形成装置。
【発明の詳細な説明】
【技術分野】
【０００１】
本発明は、電子写真画像形成装置等に用いられる用紙整合搬送装置に関し、特に、用紙搬送中に発生する用紙の傾きやシワを発生させることなく整合させる用紙整合搬送装置、および当該用紙整合搬送装置を備えた画像形成装置に関するものである。
【背景技術】
【０００２】
電子写真画像形成装置等において、画像が形成される用紙は、装置内部を搬送されるが、搬送手段の微妙な部品誤差や経年変化により用紙が搬送される途中で進行方向に対して斜めに傾くことがある。
【０００３】
このような用紙の傾きを補正するために、レジストローラとその上流の搬送ローラを制御して、停止しているレジストローラのニップ部に用紙先端を突き当て、上流の搬送ローラ（ループ形成ローラ）をさらに駆動してレジストローラ手前で用紙のループを形成させる技術が用いられている。
【０００４】
この技術においては、用紙が傾いて搬送されてきても、レジストローラのニップ部に突き当てられた用紙先端はレジストローラのニップ部で先端が整合され、用紙の中央部分はループを形成した状態となり、この状態で画像形成とタイミングを取ってレジストローラと搬送ローラとが同期駆動されると、レジストローラより下流に搬送される用紙は、正しく姿勢を整合された状態で進み、一方、用紙後端が搬送ローラを通過し終わると、それまで斜め状態であった用紙後端もループを解消しようとする用紙の伸びで姿勢を整合される。
【０００５】
このように、レジストローラを用いた用紙の姿勢整合技術は、簡単な構成で用紙を整合させることができるため、多用されているが、近年の画像形成装置の高速化に伴い、レジストローラや搬送ローラの部品精度や速度誤差により用紙にシワが発生する恐れが出てきた。
【０００６】
ループの形成量は、装置の設計精度を元に適正なループ形成量となるよう設定されるのであるが、ローラ径の誤差や回転速度の誤差、或いは回転開始のタイミング誤差などが高速化により拡大されてループ形成量が適正値よりずれ、このような場合で用紙が斜めに搬送されてくるとシワが発生するのである。
【０００７】
例えば、傾いた用紙はレジストローラニップ部に突き当てられてその先端が正しくニップ部に揃い整合されるので、ループは、傾いた状態で搬送されてきて先にニップ部に到達した側のループが大きく、遅れてニップ部に到達する側のループが小さくなる。この状態でレジストローラと搬送ローラが駆動され、レジストローラの用紙搬送速度が基準値より速いと、小さい側のループが解消されても用紙後端がまだ搬送ローラに挟まれているという状態になることがある。そして、さらに用紙搬送が進行すると、搬送方向の用紙中央部のループが斜めの状態のままでレジストローラに挟み込まれることになり、ここで用紙にシワが発生する。
【０００８】
このようなシワの発生を防止するため、特許文献１は、レジストローラと搬送ローラの間の搬送路に突出した弾性部材からなるループ形成補助部材を設け、レジストローラに到達する前にあらかじめ適正なループを形成させるとともに、レジストローラにより搬送を開始した後での形成されたループの解消を遅らせる技術を開示している。
【特許文献１】特開平９−７７３１０号公報（特許登録第３４９１２１６号）
【発明の開示】
【発明が解決しようとする課題】
【０００９】
一方、近年の画像形成装置は、複数の搬送路からの用紙を合流させて画像形成位置に搬送するよう構成されるものが多い。すなわち、給紙カセットなどの給紙手段、手差し給紙部や外部給紙ユニット、或いは、用紙の裏面に画像形成を行うための反転給紙手段などからの用紙搬送路が画像形成位置の手前で合流されるのである。
【００１０】
また、このような構成は、自動原稿搬送装置においても採用されており、原稿載置トレイからの原稿搬送路と、表面を読み取った後裏面を読み取るための原稿反転搬送路が、読み取り位置の手前で合流するように構成されている。
【００１１】
上述した複数の搬送路が合流する構成において、レジストローラ上流のループ形成を行う搬送ローラのさらに上流で複数の搬送路の合流を行うならば、特許文献１の技術はそのまま適用できる。
【００１２】
しかし、近年の画像形成装置は小型化が進んでおり、狭い領域で上記のように構成することは難しく、通常、合流前のそれぞれの搬送ローラがループ形成のために使われる。そして、このような構成の場合は、特許文献１の技術は適用できない。
【００１３】
本発明は、このような問題点を解決しようとするものであり、簡単な構成で、それぞれの搬送路から送られる用紙に確実にループを形成させて傾きもシワもない用紙搬送を行うことが出来る用紙整合搬送装置、および当該用紙整合搬送装置を備えた画像形成装置を提供することを目的とする。
【課題を解決するための手段】
【００１４】
そして、本発明は、上記目的を達成するために、レジストローラと夫々の搬送路との間の合流搬送路において、使用される側の搬送路と反対側の合流部ガイド板に向けて突出するように切り替えられるループ形成補助手段を設けたものである。
【００１５】
さらに具体的には、
１．複数の用紙供給部からの用紙を合流させ、用紙の姿勢を整合させて下流の用紙処理位置に搬送する用紙整合搬送装置において、用紙の姿勢を整合させるためのレジストローラと、第１ループ形成ローラを有し、第１の用紙供給部からの用紙を搬送する第１搬送路と、第２ループ形成ローラを有し、第２の用紙供給部からの用紙を搬送する第２搬送路と、前記レジストローラと前記第１搬送路および前記第２搬送路との間で合流搬送路を形成する前記第１搬送路側のガイド板および前記第２搬送路側のガイド板と、前記合流搬送路において、前記第１搬送路が選択された時は先端を前記第２搬送路側のガイド板に向けて突出し、前記第２搬送路が選択された時は先端を前記第１搬送路側のガイド板に向けて突出して用紙にループを形成させるループ形成補助手段と、を有することを特徴とする用紙整合搬送装置、
２．複数の用紙供給部からの用紙を合流させ、用紙の姿勢を整合させて下流の用紙処理位置に搬送する用紙整合搬送装置において、用紙の姿勢を整合させるためのレジストローラと、第１ループ形成ローラを有し、第１の用紙供給部からの用紙を搬送する第１搬送路と、第２ループ形成ローラを有し、第２の用紙供給部からの用紙を搬送する第２搬送路と、前記レジストローラと前記第１搬送路および前記第２搬送路との間で合流搬送路を形成する第１搬送路側の第１ガイド板および第２搬送路側の第２ガイド板と、前記合流搬送路の略中央に配置され、前記第１搬送路が選択された時は先端を前記第２ガイド板に向けて突出する位置に、前記第２搬送路が選択された時は先端を前記第１ガイド板に向けて突出する位置に切り替え可能なループ形成補助部材と、前記ループ形成補助部材を搬送路の選択に応じて切り替える切り替え手段とを有することを特徴とする用紙整合搬送装置、
或いは、
３．複数の用紙供給部からの用紙を合流させ、用紙の姿勢を整合させて下流の用紙処理位置に搬送する用紙整合搬送装置において、用紙の姿勢を整合させるためのレジストローラと、第１ループ形成ローラを有し、第１の用紙供給部からの用紙を搬送する第１搬送路と、第２ループ形成ローラを有し、第２の用紙供給部からの用紙を搬送する第２搬送路と、前記レジストローラと前記第１搬送路および前記第２搬送路との間で合流搬送路を形成する前記第１搬送路側の第１ガイド板および前記第２搬送路側の第２ガイド板と、前記第１ガイド板の一部を構成するとともに、切り替えられて先端を合流搬送路に突出させる第１ループ形成補助部材と、前記第２ガイド板の一部を構成するとともに、切り替えられて先端を合流搬送路に突出させる第２ループ形成補助部材と、前記第１搬送路が選択された時は前記第１ループ形成補助部材を前記合流搬送路に突出させ、前記第２搬送路が選択された時は前記第２ループ形成補助部材を前記合流搬送路に突出させるように切り替える切り替え手段と、を有することを特徴とする用紙整合搬送装置、および
４．当該用紙整合搬送装置を備えたことを特徴とする画像形成装置
である。
【発明の効果】
【００１６】
上述したように、本発明の用紙整合搬送装置、および画像形成装置は、複数の用紙搬送路が合流する合流搬送路において、ループ形成補助手段が切り替えられて、使用される側の搬送路から搬送される用紙に対して適正なループを強制的に形成するように合流搬送路に突出するので、簡単な構成で用紙に確実にループを形成させることができ、もって用紙の傾きやシワの発生を防止できる効果を奏する。
【発明を実施するための最良の形態】
【００１７】
以下、本発明の実施の形態を図１〜図４に基づいて説明する。
【００１８】
図１は、本発明の用紙整合搬送装置が適用される電子写真方式の画像形成装置の概略構成を示す図であり、この画像形成装置は、装置上部に自動原稿搬送装置１を有し、また、装置本体内に画像読取部２、画像形成部３、給紙部４、搬送部５、排紙・再給紙部６、および手差し給紙部７を有している。
【００１９】
自動原稿搬送装置１は、原稿を載置する原稿載置台１１、原稿載置台１１上に載置された原稿を１枚ずつ分離搬送する原稿分離搬送手段１２、原稿分離搬送手段１２により分離されて搬送される原稿を整合して搬送する原稿レジストローラ１３、原稿を原稿読取位置Ｒに搬送する原稿搬送手段、原稿読取位置Ｒからの原稿を原稿排紙台１５上に排紙する原稿排紙手段１４、及び両面複写モード時において原稿の表裏を反転させるための原稿反転手段１６を有している。
【００２０】
このような構成において、原稿載置台１１から送り出された原稿は、原稿レジストローラ１３および原稿搬送手段によって搬送され、原稿読取位置Ｒを通過するときに下方に設けられた画像読取部２により読み取られる。両面原稿の場合は、原稿は原稿反転手段１６により反転され、原稿レジストローラ１３の手前で原稿分離搬送手段１２からの搬送路と合流して送られる。
【００２１】
画像読取部２は、原稿の画像を読み取って画像データを生成する部分であり、画像形成装置本体内の上部に設けられ、公知の走査光学系、投影レンズ、ＣＣＤアレイなどから構成されている。
【００２２】
画像形成部３は、公知の電子写真方式の構成であり、感光体ドラム３１と、その周囲に配置された帯電器３２、レーザー書込系３３、現像装置３４、転写チャージャ３５、分離チャージャ３６、残留トナークリーニング手段３７を有している。
【００２３】
感光体ドラム３１と転写チャージャ３５との間の転写位置から図中右側には、手差し給紙部７からの搬送路が配置され、一方左側には、トナー像を転写された用紙が定着装置３８に向かう搬送路が伸びている。
【００２４】
手差し給紙部７は、手差し給紙トレイ７１と該トレイ７１上の用紙を送り出す手差し給紙ローラ７２を有し、その下流に第１ループ形成ローラ１１１、およびガイド板からなる第１搬送路１１０が形成されている。
【００２５】
第１搬送路１１０の下流には、レジストローラ１００、ドラム前搬送ローラ３９が順次配設されている。
【００２６】
画像形成部３の下方には、用紙Ｐを収納し給紙する給紙部４が設けてあり、当該給紙部には複数のトレイ４Ａ、４Ｂ、４Ｃが配置されている。
【００２７】
搬送部５は、給紙部４から給紙された用紙Ｐを画像形成部３へと搬送するもので、各トレイから給紙される用紙専用の個別搬送路と、個別搬送路から用紙を受け取り、第２ループ形成ローラ１２１に至るまでの縦搬送路５１とからなる。
【００２８】
排紙・再給紙部６は、画像形成された用紙Ｐを排紙或いは再給紙するものであり、定着装置３８より排出された用紙をそのまま機外へ排出する場合と、用紙の裏面にも画像形成すべく再給紙する場合とに切り替えて用紙を搬送する構成を有する。
【００２９】
画像形成された用紙をそのまま排出する場合は、切替手段６１を図１において一点鎖線で示す位置に保ち、排紙トレイ６２に排出する。また、用紙の裏面に画像形成する両面複写モードの場合は、切替手段６１を実線で示す位置に保ち、用紙を反転手段６３の方向に搬送し、反転手段６３によってスイッチバックを行わせることにより表裏反転させ、再給紙部６４へと搬送する。
【００３０】
再給紙部６４に搬送された用紙は、第２ループ形成ローラ１２１の手前で縦搬送路５１に合流し、給紙部４からの給紙と同様に、画像形成プロセスに応じたタイミングをもって画像形成部３に向けて搬送される。
【００３１】
第１搬送路１１０とレジストローラ１００の間で第２ループ形成ローラ１２１からの第２搬送路１２０が合流している。第２搬送路１２０は第２ループ形成ローラ１２１とガイド板を有し、これら第１・第２搬送路の合流部からレジストローラ１００の間は、ガイド板を有する合流搬送路１３０となる。
【００３２】
なお、本発明の説明において、ローラと記載する部材は、１対のローラで構成される部材であるが、ローラと略記している。
【００３３】
本発明の用紙整合搬送装置は、第１搬送路１１０と第２搬送路１２０が合流する合流搬送路１３０の部分にループ形成補助手段を配置する構成であり、この構成をさらに詳しく説明する。
（実施の形態１）
図２は、実施の形態１の用紙整合搬送装置を示す概略断面図であり、図２（ａ）が第１搬送路１１０からの用紙を搬送する場合を、図２（ｂ）が第２搬送路１２０からの用紙を搬送する場合を示す。
【００３４】
図において、第１搬送路１１０は、第１ループ形成ローラ１１１、ガイド板１１２、１１３を有し、第２搬送路１２０は、第２ループ形成ローラ１２１、ガイド板１２２、１２３を有している。互いに向かいあうガイド板１１３とガイド板１２２は、図においては一体形成されているが、別体でも良い。
【００３５】
また、合流搬送路１３０は、第１ガイド板１３１、第２ガイド板１３２を有し、合流搬送路１３０の中央に、ループ形成補助部材１４０が軸１４１の周りに回動可能に保持されている。ループ形成補助部材１４０の先端には、弾性部材１４２が取り付けられており、この弾性部材１４２は、ＰＥＴフィルムや薄い金属の板ばねなどを用いることができる。
【００３６】
図２（ａ）の状態では、ループ形成補助部材１４０はその先端の弾性部材１４２を斜め下向きにした、すなわち第２ガイド板１３２に向けた姿勢であり、一方、図２（ｂ）の状態では、弾性部材１４２が斜め上向きの、すなわち第１ガイド板１３１に向けた姿勢となっている。
【００３７】
図３（ａ）は、ループ形成部材１４０とその周辺を上方から見た図であり、画像形成装置本体の側板８１、８２に固定された取り付け板１５１、１５２に軸受け１５３、１５４を設け、この軸受け１５３、１５４にループ形成補助部材１４０の軸１４１を軸支している。
【００３８】
図３（ｂ）は、取り付け板１５１の側から見た側面図である（取り付け板１５２側の構成は点線で示す）。取り付け板１５１、１５２には、ガイド溝１５５、１５６が形成され、ループ形成補助部材１４０の弾性部材１４２と反対側で左右に突出したガイドピン１４３、１４４がガイド溝１５５、１５６に入り込んでいる。
【００３９】
取り付け板１５１には、図示しない取り付け部材により双方向ロータリーソレノイド１５７が取り付けられており、この双方向ロータリーソレノイド１５７がループ形成補助部材１４０の軸１４１に取り付けられ、ループ形成補助部材１４０を回転駆動する。
【００４０】
一方、反対側の取り付け板１５２には、思案バネ１５８が、一端を取り付け板１５２に、他端をループ形成補助部材１４０のガイドピン１４４に取り付けられている。
【００４１】
このような構成において、図２（ａ）の状態から図２（ｂ）に切り替える際は、双方向ロータリーソレノイド１５７に通電してループ形成補助部材１４０を時計回りに回転させる。双方向ロータリーソレノイド１５７の駆動による回転角は、ガイド溝１５５、１５６の幅いっぱいまで回転させずとも思案点（上死点）を乗り越える角度まで回転させれば、ループ形成補助部材１４０は思案バネ１５８によりガイド溝１５５、１５６の端まで付勢される。これによってループ形成補助部材１４０は位置決めされる。
【００４２】
以上のような構成において、図２（ａ）に戻り、用紙搬送の作用を説明する。
【００４３】
第１ループ形成ローラ１１１から送り出されてきた用紙Ｐは、第１搬送路１１０のガイド板１１２、１１３の間を通り、ループ形成補助部材１４０の弾性部材１４２とガイド板１３２の間を通って、停止しているレジストローラ１００に向かう。このとき、ループ形成補助部材１４０は、図の位置にあり、用紙Ｐはこのループ形成補助部材１４０の弾性部材１４２を乗り越えて進むので、適正なループを形成できる。
【００４４】
用紙Ｐの先端がレジストローラ１００に到達し、用紙Ｐの先端がレジストローラ１００のニップ部に当たってその先端の傾きが整合された後、レジストローラ１００は画像形成のタイミングと同期して回転を始める。レジストローラ１００の回転により用紙先端側は姿勢を整合されて進み、一方、用紙後端はまだ第１ループ形成ローラ１１１に拘束されている。このとき、レジストローラ１００と第１ループ形成ローラ１１１の速度差が発生していたとしても、ループは良好に形成されており、搬送につれて用紙Ｐのループは徐々に解消されていくが、一方で弾性部材の弾性反発力によりループ解消を遅らせられている。このようにして用紙Ｐが搬送されていき、用紙後端が第１ループ形成ローラ１１１を抜けると、斜めになっていた用紙の後端は、用紙の腰でループが解消されて姿勢が整合される。
【００４５】
図２（ｂ）の第２搬送路１２０から用紙Ｐが供給される場合も、用紙Ｐが第２搬送路１２０から供給され、ループ形成補助部材１４０が斜め上向きの図の状態にある点が異なるだけで、用紙Ｐに与える作用は上記と同様である。
【００４６】
なお、何らかの事由により用紙が強く引っ張られたりする場合も、ループ形成補助部材１４０が思案バネ１５８の付勢力に抗して回動し用紙の破損を防ぐことができる。
（実施の形態２）
図４は、実施の形態２の用紙整合搬送装置を示す概略断面図であり、図４（ａ）が第１搬送路１１０からの用紙を搬送する場合を、図４（ｂ）が第２搬送路１２０からの用紙を搬送する場合を示す。
【００４７】
図において、第１搬送路１１０、第２搬送路１２０の構成は実施の形態１と同様であるが、合流搬送路１３０において、ループ形成補助部材は２つの部材に分けて設けられている。即ち、第１ループ形成補助部材２０１が、ガイド板１３３と同一平面をなす位置と、合流搬送路１３０にその先端を突出させる位置の間で軸２０３により回動可能に保持されており、同様に、第２ループ形成補助部材２０２が、ガイド板１３４と同一平面をなす位置と、合流搬送路１３０にその先端を突出させる位置の間で軸２０４により回動可能に保持されている。
【００４８】
第１ループ形成補助部材２０１と第２ループ形成補助部材２０２の合流搬送路１３０側の面には、ＰＥＴなどの弾性部材２０５、２０６がそれぞれ貼り付けられている。
【００４９】
２つのループ形成補助部材は互い違いに合流搬送路１３０に突出するように回動駆動される。回動駆動する構成は、実施の形態１のロータリーソレノイドを用いる構成をそれぞれのループ形成補助部材に設けても良く、あるいは、リンク機構などで互い違いに切り替えるように構成しても良い。また、位置決めは、ガイド板１１２、１２３の先端に当たってとまるように構成しても良い。
【００５０】
実施の形態２における用紙搬送の作用は、実施の形態１と同様であるが、第１搬送路１１０から用紙Ｐを供給する場合は、第２ループ形成補助部材２０２がガイド板１３４と同一平面となって用紙Ｐをガイドし、第１ループ形成補助部材２０１が合流搬送路１３０に突出し、一方、第２搬送路１２０から用紙Ｐを供給する場合は、第１ループ形成補助部材２０１がガイド板１３３と同一平面となって用紙Ｐをガイドし、第２ループ形成補助部材２０２が合流搬送路１３０に突出する点が異なる。
【００５１】
上記実施の形態１、または実施の形態２の構成によって、用紙Ｐは傾きもシワも発生することなく良好に下流の用紙処理位置に搬送される。
【００５２】
上記の説明において、本発明の用紙整合搬送装置は、手差し給紙部と給紙部とからの用紙が合流する箇所に設けたが、給紙部と再給紙部とからの用紙が合流する箇所や、給紙部と外部給紙ユニットとの合流部、さらには、自動原稿搬送装置の給紙部と反転給紙部との合流搬送路に設けても良い。
【００５３】
なお、画像形成部は、像担持体上にトナー画像を形成し、当該トナー画像を転写材上に転写する電子写真方式の構成であるが、これに限らず、インクジェット方式など他の方式でも良い。
【図面の簡単な説明】
【００５４】
【図１】本発明が適用される電子写真方式画像形成装置の概略断面図
【図２】本発明の実施の形態１を示す概略断面図
【図３】本発明の実施の形態１のループ形成補助部材周辺を示す概略断面図、および側面図
【図４】本発明の実施の形態２を示す概略断面図
【符号の説明】
【００５５】
１００  レジストローラ
１１０  第１搬送路
１１１  第１ループ形成ローラ
１２０  第２搬送路
１２１  第２ループ形成ローラ
１３０  合流搬送路
１１２、１１３、１２２、１２３  ガイド板
１３１、１３３  第１ガイド板
１３２、１３４  第２ガイド板
１４０、２０１、２０２  ループ形成補助部材
１４１、２０３、２０４  軸
１４２、２０５、２０６  弾性部材
【図１】
2010126321.tif 000003
【図２】
2010126321.tif 000004
【図３】
2010126321.tif 000005
【図４】
2010126321.tif 000006